(57)【要約】  本発明は、サンプルキュベット（４０）内の液体サンプル（４９）の濁度を測定するための比濁分析濁度計（１０）に関する。濁度計（１０）は、キュベット（４０）に方向付けされた軸方向の平行な光線（６０）を放射するための測定光源（２０）と、キュベット（４０）から非軸方向に来る散乱光（６６）を受け取るように配置されている散乱光検出器（３０）と、光学的拡散体（５２）および拡散器アクチュエータ（５４）を備え、拡散器アクチュエータ（５４）は、パーキング位置とテスト位置との間で拡散体（５２、５２’）を移動させるためのものであり、パーキング位置では、拡散体（５２）は放射光線（６０）と干渉せず、テスト位置は、光源（２０）とキュベット（４０）との間にあり、テスト位置では、拡散体（５２’）が放射光線（６０）と干渉し、キュベット（４０）に進入する拡散テスト光（６３）を発生させる、切換可能な拡散器（５０）とを含む。【選択図】図１
2016532128.tif 000002
【特許請求の範囲】
【請求項１】
サンプルキュベット（４０）内の液体サンプル（４９）の濁度を測定するための比濁分析濁度計（１０）であって、
前記キュベット（４０）に方向付けされた軸方向の平行な光線（６０）を放射するための測定光源（２０）と、
前記キュベット（４０）からの散乱光（６６）を受け取るように配置されている散乱光検出器（３０）と、
光学的拡散体（５２）、およびパーキング位置とテスト位置との間で前記光学的拡散体（５２、５２’）を移動させるための拡散器アクチュエータ（５４）を備え、前記パーキング位置では、前記拡散体（５２）は前記放射光線（６０）と干渉せず、前記テスト位置は、前記光源（２０）と前記キュベット（４０）との間にあり、前記テスト位置では、前記拡散体（５２’）が前記放射光線（６０）と干渉し、前記キュベット（４０）に進入する拡散テスト光（６３）を発生させる、切換可能な拡散器（５０）と
を含む、比濁分析濁度計（１０）。
【請求項２】
前記キュベット（４０）が、円筒形状であり、かつ、円筒壁部（４２）および平面底壁部（４１）を備えている、請求項１に記載の比濁分析濁度計（１０）。
【請求項３】
クリーニング手段（８０）が、前記キュベット円筒壁部（４２）の内側の機械的なクリーニングのために設けられている、請求項１または２に記載の比濁分析濁度計（１０）。
【請求項４】
前記測定光源（２０）には、ＬＥＤ（２２）、好ましくは、レーザＬＥＤ（２２）が設けられている、請求項１から３のいずれか一項に記載の比濁分析濁度計（１０）。
【請求項５】
拡散体（５２）が、散乱粒子で満たされた透明なマトリックス材料から作製されている、請求項１から４のいずれか一項に記載の比濁分析濁度計（１０）。
【請求項６】
拡散体（５２）が、すりガラスから作製されている、請求項１から５のいずれか一項に記載の比濁分析濁度計（１０）。
【請求項７】
前記測定光源（２０）が、軸方向に前記キュベット（４０）に対して前記キュベット（４０）の前記平面底壁部（４１）の下方に配置されている、請求項１から６のいずれか一項に記載の比濁分析濁度計（１０）。
【請求項８】
別個の光源検出器（３８）が、前記テスト位置における前記拡散体（５２’）から拡散テスト光（６３）を直接的に受け取るように、前記拡散体（５２’）に光学的に割り当てられている、請求項１から７のいずれか一項に記載の比濁分析濁度計（１０）。
【請求項９】
請求項１から８のいずれか一項の特徴を備える比濁分析濁度計（１０）のサンプルキュベット（４０）の前記汚染の検出のための方法であって、汚染テストが要求された後に、
前記拡散体（５２）をそのパーキング位置からそのテスト位置へ移動させるために、前記拡散器アクチュエータ（５４）を活性化するステップと、
前記光源（２０）を活性化するステップと、
前記散乱光検出器（３０）によって受け取られるテスト光強度Ｉｔを測定するステップと、
前記測定されたテスト光強度Ｉｔを基準光強度Ｉｒと比較するステップと、
前記基準光強度Ｉｒと前記測定されたテスト光強度Ｉｔとの差が閾値を超える場合に、汚染信号を生成するステップと
を含む、方法。
【請求項１０】
前記濁度計（１０）には、前記キュベット円筒壁部（４２）の内側の機械的なクリーニングのためのクリーニング手段（８０）が設けられており、前記方法が、
汚染信号が生成された場合、および前記クリーニング手段（８０）が前記クリーニング動作を終了したときに、前記クリーニング手段（８０）を活性化するステップと、
汚染テストを要求するステップと
をさらに含む、請求項９に記載の方法。
【請求項１１】
前記拡散体（５２’）がそのテスト位置にあるときには、前記方法が、
前記光源検出器（３８）によって受け取られる光源強度Ｉｍｓを測定するステップと、
前記測定された光源強度Ｉｍｓを基準光源強度Ｉｒｓと比較するステップと
をさらに含む、請求項９または１０に記載の方法。
【請求項１２】
前記光源強度Ｉｍｓが前記基準光源強度Ｉｒｓに等しくなるように、前記光源（２０）の前記強度を前記光源検出器（３８）によって検査するステップ
をさらに含む、請求項１１に記載の方法。
【請求項１３】
前記基準測定光強度Ｉｒｓを発生させるために使用される電気エネルギーＥｍを電気エネルギー基準Ｅｒと比較するステップと、
差が閾値ｄＥを超える場合には、寿命信号を生成するステップと
をさらに含む、請求項１２に記載の方法。
【発明の詳細な説明】
【技術分野】
【０００１】
本発明は、透明なサンプルキュベット内の液体サンプルの濁度を測定するための比濁分析濁度計に関する。
【背景技術】
【０００２】
比濁分析濁度計は、キュベット内の液体サンプル中へ光線を投射することによって、サンプルキュベット内の液体サンプル中に浮遊する固体粒子の濃度を決定する。光検出器が、光線軸に対して少なくとも３０°の角度で、また好ましくは光線軸に対して直角に、懸濁した固体粒子によって散乱された光の量を検出する。しかしながら、液体サンプル中に浮遊する粒子のみが散乱光を発生させるのではなく、透明なキュベット壁の内側の付着物層またはキュベット本体のかき傷のような、キュベットの如何なる光学的な汚染も、光を散乱させる可能性がある。
【０００３】
特許文献１は、異なる散乱角度の下で異なる浸透距離を用いて異なる濁度測定を行い得るよう、２つの別個の光源および２つの別個の光検出器を備える濁度計を開示している。異なる濁度測定の結果が、妥当性に関してチェックされ、異なる濁度測定に妥当性がないように見える場合には、警告信号が生成される。技術的労力は比較的高く、また、液体サンプル中の濁度の強い不均一性も、妥当性のない測定結果をもたらす可能性がある。
【先行技術文献】
【特許文献】
【０００４】
【特許文献１】米国特許出願公開第２０１１／００４３８０７号明細書
【発明の概要】
【発明が解決しようとする課題】
【０００５】
本発明の目的は、光学的な濁度計のための簡単な手段、および、液体サンプルキュベットの汚染を検出するための簡単な方法を提供することである。
【課題を解決するための手段】
【０００６】
この目的は、請求項１の特徴を有する濁度計、および、請求項９の特徴を有する方法によって解決される。
【０００７】
本発明による液体サンプル中の濁度を測定するための比濁分析濁度計には、透明なサンプルキュベットが設けられており、このサンプルキュベットは、完全に透明であってもよいし、２つ以上の光学的なウィンドウを画定するように、少なくとも部分的に透明であってもよい。濁度計は、濁度計内へ挿入されるときに液体サンプルですでに満たされている交換可能なキュベットを使用するための実験室デバイスとして提供され得、または、液体サンプルをキュベット内へ連続的に輸送するための液体サンプル入口および液体サンプル出口を備える静止キュベットによる準連続的な測定のためのプロセスデバイスとして提供され得る。本発明は、キュベットが交換されることなく長期間にわたって使用され、キュベット本体の内側の付着物が問題になるプロセスデバイスに関してとりわけ有利である。
【０００８】
濁度計には、キュベット内へ方向付けされた軸方向の平行な光線を放射するための測定光源が設けられている。軸方向は、キュベットによってではなく、光線自体によって画定される。光線は、例えば、レーザＬＥＤのような発光ダイオード（ＬＥＤ）によって発生され得る。光線の直径は、通常、０，５ｍｍから数ミリメートルの間である。レーザＬＥＤによって発生される単色光線は、高い光学的な品質を有しているが、キュベット汚染に対して非常に敏感である。したがって、妥当性および信頼性のあるキュベット汚染の検出が、光源としてレーザＬＥＤを備える濁度計にとって、とりわけ重要である。
【０００９】
濁度計には、液体サンプルを含むキュベットから発せられる散乱光を受け取るように配置された散乱光検出器が設けられている。散乱光検出器は、測定光源から直接的に来る光を受け取らないよう、光線と軸方向に並んでは配置されておらず、この点において、散乱光検出器は、比濁分析法の設計である。散乱光検出器は、液体サンプルの粒子によって非軸方向に反射される光源光だけを受け取る。
【００１０】
散乱光検出器は、例えば、軸方向の光線に対しておおよそ直角に配置され得る。第１の実施形態では、散乱光検出器は、少なくとも、数度の、または、１°未満の非常に小さい扇形（ｓｅｃｔｏｒ）も受け取ることが可能であり、または、代替的に、光線軸に対して３６０°の完全な円周にわたって散乱光を受け取り収集する円周方向の検出器配置として実現され得る。
【００１１】
濁度計には、切換可能な拡散器が設けられ、切換可能な拡散器は、光学的拡散体および拡散器アクチュエータを備え、拡散器アクチュエータは、第１の位置またはパーキング位置と第２の位置またはテスト位置との間で拡散体を移動させるためのものである。パーキング位置では、拡散体は、放射光線と干渉せず、光線は、集中された平行な光線としてキュベットに進入する。テスト位置では、拡散体は、光源とキュベットとの間の位置へ移動されており、その位置において、拡散体は放射光線と干渉し、キュベットに進入する拡散テスト光を発生させる。拡散器がテスト位置に切り替えられると、測定光源から来る平行な光線は、拡散体内に位置する拡散光発生器に変更される。液体サンプルを含むキュベットは、結果的に、テストモードにあるときだけ、拡散光に露出される。代替的な実施形態では、拡散光発生器は、測定光源から独立して分離した別個の切換可能な拡散光源であることが可能である。
【００１２】
汚染テストは、キュベット本体に付着している粒子によって、または、キュベット本体のかき傷などによって反射される拡散光発生器の光によって引き起こされる散乱テスト光を決定するための散乱光検出器を使用することによって、切換可能な拡散器を含む濁度計を用いて、任意の時間に実行され得る。汚染テストは、汚染テスト測定値を用いて濁度測定の測定値の妥当性を検査するために、例えば、液体サンプルの濁度測定の後に毎回要求および実行され得る。代替的にまたは追加的に、汚染テストは、定期的な間隔で、例えば、２〜３時間ごとに、または、毎日、液体テスト溶液を用いて、または、液体テスト溶液を用いずに実行され得る。汚染テストは、通常、空のキュベット、透明な基準液体で満たされたキュベット、または、サンプル液体で満たされたキュベットを用いて、実施され得る。汚染テストおよび基準測定は、例えば、キュベット内の透明なテスト溶液を用いて行われ得る。
【００１３】
濁度計のサンプルキュベットの汚染を検出するための方法は、汚染テストが要求された後に、以下の方法ステップ、
−  拡散体をそのパーキング位置からそのテスト位置へ移動させるために、拡散器アクチュエータを活性化するステップと、
−  光源を活性化するステップと、
−  散乱光検出器によって受け取られるテスト光強度Ｉｔを測定するステップと、
−  測定されたテスト光強度Ｉｔを基準散乱光強度Ｉｒと比較するステップと、
−  基準光強度Ｉｒと測定されたテスト光強度Ｉｔとの差が閾値を超える場合に、汚染信号を生成するステップと
をたどる。
【００１４】
基準光強度Ｉｒは、基準メモリのルックアップテーブル内に記憶されている基準値であることが可能であり、基準メモリ内には、予期される基準光強度Ｉｒが、サンプル測定強度Ｉごとに記憶されている。測定されたテスト光強度Ｉｔが、この特定のサンプル測定強度Ｉに関して記憶されている基準光強度Ｉｒにおおよそ等しい場合には、妥当性は良好であり、汚染信号は生成されない。この手順は、検査されるべき全てのサンプル測定の妥当性を決定することを可能にする。
【００１５】
加えてまたは代替的に、基準光強度Ｉｒは、清浄なキュベットおよびキュベットを満たしている清浄な基準液体を用いて行われる基準測定に基づく単一の較正値であることが可能である。基準光強度Ｉｒは、濁度計生産プロセスの終わりに測定され得、または、例えば、新しいキュベットが使用されるときに、ユーザによって測定され得る。測定基準光強度Ｉｒは、濁度計の基準メモリ内に記憶される。汚染テストは、例えば、濁度計が起動された後に、毎朝行われ得る。
【００１６】
キュベットの汚染は、もともとは不拡散であるキュベットの光学的特性の変化をもたらす、キュベットの光学的な透過特性のあらゆる種類の変化を含む。とりわけ、キュベットの内側表面および／または外側表面における、かき傷、変色、汚れ、指紋、凝縮物、および／または付着物は、すべてのサンプル測定値を劣化させ得るキュベットの光学的な汚染となり得る。
【００１７】
本発明のある実施形態では、キュベットは、円筒形状であり、円筒側壁部および平面底壁部を備えている。円筒形状の側壁部は、キュベットに対して扇形角度ごとに位置決めされる散乱光検出器の位置決めを可能にし、濁度計内のキュベットの回転位置が関係ないようになっている。また、円筒形状の壁部は、円周方向の散乱光検出器配置の使用を可能にし、それは、小さい円周方向の扇形内だけでなく、円周の大部分または全周にわたって、キュベットからの散乱光を受け取る。アキシコンは、キュベットの円周の周りで散乱光を収集するための公知の光学的な手段である。
【００１８】
平面底壁部は、光線が円筒形状のキュベットの長手方向軸と完全に軸方向に位置合わせされていない場合でも、平行な光線を底壁部に対して直角に方向付けすることを可能にする。平面底壁部を含む円筒形状のキュベットは、濁度計を、測定光源とキュベットとの間の小さい幾何学的なずれに対してより許容性のあるものにする。
【００１９】
本発明のある実施形態では、クリーニング手段が、キュベット円筒壁部の内側の機械的なクリーニングのために設けられている。クリーニング手段には、クリーニングモータによって回転されるクリーニングブラシを設けることができる。また、クリーニングブラシには、シフト装置を設けることができ、シフト装置は、要求に応じてキュベット円筒壁部の内側を自動的にクリーニングするために、キュベット内へブラシをシフトさせることを可能にする。本発明のある実施形態では、クリーニング手段は、例えば、汚染信号が生成された場合に活性化され得る。クリーニング手段がクリーニング動作を終了すると、キュベットがもはや汚染されていないことを検証するために、別の汚染テストが要求され得る。
【００２０】
本発明のある実施形態では、別個の光源検出器が設けられており、別個の光源検出器は、テスト位置にある拡散体から拡散光を直接的に受け取るために、拡散体に光学的に割り当てられている。光源検出器は、基本的に、テスト位置にある拡散体から来る拡散光を受け取るだけである。本発明のある方法では、測定光源強度Ｉｍｓは、光源検出器によって決定され、記憶されている基準光源強度Ｉｒｓと比較される。測定された光源強度と記憶されている光源強度との差が閾値を超える場合には、光源故障信号が生成される。これは、テスト光強度Ｉｔが基準光強度Ｉｒと同じ光源の光強度によって測定されることを確実にする。
【００２１】
本発明のある実施形態では、拡散体は、散乱粒子で満たされた透明なマトリックス材料から作製される。マトリックス材料は、例えば、マイクロ粒子であり得る散乱粒子で均一に満たされた透明なプラスチック物質であることが可能である。プラスチック物質は、ＰＭＭＡまたは別の透明性の高い物質であることが可能である。粒子は、例えば、リン酸カルシウム、フッ化物、酸化第二スズ、酸化チタン、または、他の適切な粒子粉末であることが可能である。粒子サイズは、光源によって発生される光の波長の範囲、および／または、光検出器の感度波長の範囲、例えば、１．０μｍ〜５．０μｍの範囲内にあるべきである。
【００２２】
拡散体は、代替的に、すりガラスから作製され得、または、基本的に完全に透明であるが、その表面の一方もしくは両方がいくらか艶消しされている同様の拡散体から作製され得る。
【００２３】
本発明のある実施形態では、測定光源が、キュベットの平面底壁部の下方に、キュベットに対して軸方向に配置されている。この配置は、キュベットが簡単に上部から垂直方向に導入され、または上部へ除去され得るように、上部から容易にアクセス可能なキュベット保持配置を可能にする。
【００２４】
本発明は、実施形態および図面に基づいて、以下でより詳細に説明される。
【図面の簡単な説明】
【００２５】
【図１】切換可能な拡散器がパーキング位置にある濁度計を示す図である。
【図２】切換可能な拡散器がテスト位置にあり、清浄なキュベットを備える図１の濁度計を示す図である。
【図３】汚染されたキュベットを備える図２の濁度計を示す図である。
【発明を実施するための形態】
【００２６】
図は、サンプルキュベット４０内の液体サンプル４９の濁度を測定および検出するための濁度計１０を示している。本実施形態では、濁度計１０は、いわゆるプロセスデバイスであって、いわゆる実験室デバイスではない。したがって、濁度計には、図には示されていないサンプル入口および出口が設けられており、それは、液体サンプルをキュベット４０内へ連続的にまたは非連続的に送り込む。キュベット４０は、比較的長い期間にわたって、例えば、２〜３日にわたって、または、数カ月にもわたって、交換されない。
【００２７】
液体の濁度は、液体サンプル４９中に浮遊する固体粒子の濃度の指標である。光線６２を液体サンプル４９中へ投射し、液体サンプル４９中の光線の長手方向軸に対して９０°の角度で、液体サンプル４９によって散乱された光の光強度を測定することによって、濁度は決定される。
【００２８】
濁度計１０は、ハウジングの内側の適切なキュベット受け入れ手段内にサンプルキュベット４０を挿入し、また、取り出すための開口部を備えたハウジングを、上部に備えている。キュベット受け入れ手段は、挿入されたサンプルキュベット４０を規定のキュベット位置に位置決めする。サンプルキュベット４０は、円筒形状であって、垂直方向の円筒壁部４２および水平方向の平面底壁部４１を備えており、それらは、両者が協働して、キュベット本体を画定している。キュベット本体は、透明で無色のガラスから作製されている。
【００２９】
測定光源２０は、キュベットの底壁部４１の下に配置されている。測定光源２０には、レーザＬＥＤとして設けられた発光ダイオード（ＬＥＤ）２２を電気的に駆動する電気ＬＥＤドライバ２４が設けられている。光源２０は、キュベット４０に方向付けされた軸方向の平行なレーザ光線６０を放射する。放射光線６０は、図１に示されているように、キュベット底壁部４１と直角に交差し、キュベット本体内の液体サンプル４９を測定光線６２として通過する。
【００３０】
散乱光検出器３０が、キュベット１４と径方向に隣接して配置され、測定光線６２の軸に対して直角に散乱された散乱光６６を受け取る。散乱光検出器３０には、アパーチャ３２と、フォトダイオード３４と、フォトダイオード３４の信号を増幅するための演算増幅器３６とが設けられている。
【００３１】
第１の位置にある光学的拡散体５２および拡散器アクチュエータ５４を備える切換可能な拡散器５０が、軸方向および垂直方向において測定光源２０とキュベット４０との間に配置されている。拡散体５２は、アクチュエータ５４によって、図１に示されているパーキング位置５２と、図２および図３に示されているテスト位置５２’との間で移動させることができる。拡散体５２は、パーキング位置では、放射光線６０と干渉しない。
テスト位置では、図２および図３に示されているように、拡散体５２は、放射光線６０と干渉し、キュベット４０に進入する拡散テスト光６３を発生させる。拡散体５２は、固体の不透明な散乱粒子で満たされた透明なマトリックス材料から構成されている。拡散器アクチュエータ５４は、単純で信頼性のある電気アクチュエータであり、電気的に活性化されたときには、拡散体５２をテスト位置へ枢動させる。
【００３２】
クリーニング手段８０が、キュベット円筒壁部４２およびキュベット底壁部４１の内側の機械的なクリーニングのために、キュベット４０の上方に設けられている。クリーニング手段には、電気クリーニングモータ８４によって回転されるクリーニングブラシ８２が設けられている。また、クリーニング手段８０には、シフト装置が設けられており、シフト装置は、キュベットの上部開口部を通じてキュベット４０内へクリーニングブラシ８２を垂直方向に移動させ、それによって、回転するクリーニングブラシ８２がキュベット４０の内側表面をクリーニングすることを可能にする。
【００３３】
別個の光源検出器３８が、テスト位置にある光学的拡散体５２’に近接して配置され、テスト位置にある拡散体５２’から来る拡散テスト光を直接的に受け取る。光源検出器３８は、フォトダイオードであってよい。
【００３４】
濁度計１０には、濁度計１０のすべての電気的要素を制御するための制御デバイス９０が設けられている。制御デバイス９０は、測定光源２０、切換可能な拡散器５０、散乱光検出器３０、３８、切換可能な拡散器５０、およびクリーニング手段８０に電気的に接続されている。
【００３５】
図１は、濁度計１０の測定モードを示しており、切換可能な拡散器がそのパーキング位置にある。測定光源２０が、測定モードで活性化され、平行な測定光線６２として液体サンプル４９を通過する放射光線６０が生成される。混濁した液体サンプル４９中で、測定光線６２は、すべての方向に散乱光を引き起こし、そのうち、散乱光検出器３０の半径方向平面において半径方向に散乱された光６６だけが、散乱光検出器３０によって受け取られる。散乱光検出器３０によって検出されるサンプル測定光強度Ｉは、よく理解されている原理にしたがって、制御デバイス９０によって、液体濁度値に変換される。
【００３６】
制御デバイス９０が汚染テストを開始すると、制御デバイス９０によって、拡散器アクチュエータ５４は、図２および図３に示されているように、拡散体５２’をそのテスト位置に枢動させる。汚染テストは、定期的に開始させることができ、および／または、手動で開始させることができ、および／または、極端な液体濁度値などのような他の事象の発生によって開始させることができる。
【００３７】
テスト位置にある拡散体５２’は、放射光線６０を拡散させ、拡散体５２’は、液体サンプル４９を通過する拡散テスト光６３をキュベット４０へと方向付ける拡散光発生器となる。図１に示されているように、集中された平行な測定光線６２によって引き起こされる散乱サンプル測定光６６と比較して、拡散テスト光６３は、図２および図３に示されているように、散乱光検出器３０によって受け取られる散乱テスト光６６’、６６”の異なる散乱光強度を引き起こす。また、半径方向に散乱されたテスト光６６’、６６”の強度は、キュベット４０の汚染、とりわけ、キュベット円筒壁部４２の内側表面の汚染に依存する。図３は、キュベット円筒壁部４２の内側表面に汚染層７０を有するキュベット４０を示している。汚染層７０は、例えば、しばらくしてキュベット本体部の内側表面に蓄積し得る付着物であり得る。汚染層７０は、散乱光検出器３０によって受け取られる半径方向に散乱されたテスト光６６”が、汚染層７０なしのものと比較して、異なる強度を有するように、光を拡散させる。
【００３８】
濁度計製造プロセスの終わりにおいて、基準光強度Ｉｒが、図２に示されているように、切換可能な拡散器５０がテスト位置にある状態で決定される。基準光強度Ｉｒは、デジタル制御デバイス９０のデジタルメモリ内に記憶される。汚染テストは、濁度計１０の動作寿命の間に定期的にトリガされる。汚染テストがトリガされたとき、または、手動で要求されるときには、制御デバイス９０は、切換可能な拡散器をテストモードに変化させ、測定光源２０が活性化され、活性化された拡散器アクチュエータ５４は、図２および図３に示されているように、拡散体５２をそのテスト位置５２’に枢動させる。散乱光検出器３０は、半径方向に散乱されたテスト光６６’、６６”を受け取り、制御デバイス９０は、散乱光検出器３０によって受け取られる信号からテスト光強度Ｉｔを決定する。制御デバイス９０は、測定されたテスト光強度Ｉｔを記憶されている基準光強度Ｉｒと比較し、両強度の差が閾値を超える場合には、汚染信号を生成する。
【００３９】
汚染信号が生成された場合には、円筒壁部４２の内側の汚染層７０が、その最も可能性の高い理由である。したがって、制御デバイス９０は、クリーニング動作を引き起こすようにプログラムされ得、クリーニング手段８０が、キュベット４０のキュベット本体の内側表面をクリーニングするよう活性化される。クリーニング手段８０がクリーニング動作を終了した後に、制御デバイス９０は、別の汚染テストを要求し、汚染層７０がキュベット４０の内側から上手く除去されたかどうかを決定する。
【００４０】
また、切換可能な拡散器５０は、測定光源２０によって放射される放射光線６０の強度およびビーム品質を検査するために使用され得る。拡散器５０のテスト位置において、拡散体５２’は、拡散テスト光６３をすべての空間方向に照射し、そのごく一部が、光源検出器３８によって受け取られる。
【００４１】
基準光源強度Ｉｒｓが、濁度計製造プロセスの終わりに測定され、制御ユニット９０内に記憶される。濁度計１０がテストモードになっており、拡散体５２’がそのテスト位置にあるときに、光源検出器３８によって測定される測定光源強度Ｉｍｓは、制御ユニット９０によって、記憶されている基準光源強度Ｉｒｓと比較される。光源強度ＩｒｓとＩｍｓとの差が記憶されている閾値を超える場合には、光源警告信号が生成される。
【００４２】
代替的にまたは追加的に、光源強度Ｉｍｓおよび基準光源強度Ｉｒｓの差は、測定光源２０によって放射される光線６０の光エネルギーを基準光源強度Ｉｒｓによって規定されるレベルに正規化するための基準として使用される。基準測定光強度を発生させるために必要な電気エネルギーＥｍは、基準値Ｅｒと比較され、必要とされる電気エネルギーＥｍと基準値Ｅｒとの差が閾値ｄＥを超える場合には、寿命信号が生成される。光源２０が、基準光源強度Ｉｒｓを有する測定光を発生させるために、ますます多くの電気エネルギーを必要とする場合、一般的に、その理由は、光源２０の電気効率の低下であり、それは、光源寿命の終わりに関する指標である。
【符号の説明】
【００４３】
１０  比濁分析濁度計
２０  測定光源
２２  発光ダイオード（ＬＥＤ）
３０  散乱光検出器
３８  光源検出器
４０  サンプルキュベット
４１  平面底壁部
４２  円筒壁部
４９  液体サンプル
５０  拡散器
５２  光学的拡散体
５４  拡散器アクチュエータ
６０  放射光線
６３  拡散テスト光
６６  散乱光
８０  クリーニング手段
９０  制御デバイス
【図１】
2016532128.tif 000003
【図２】
2016532128.tif 000004
【図３】
2016532128.tif 000005
【国際調査報告】
2016532128.tif 000006
2016532128.tif 000007
2016532128.tif 000008